(57)【要約】本発明は、アクティブマトリクス液晶ディスプレイ装置と、その駆動方法であって、所定の駆動電圧レベルにより画素（１２）を駆動するステップと、駆動電圧のオーバードライブ補正レベルにより画素（１２）を駆動するステップとを有し、所定の駆動電圧レベルが夫々の画素（１２）に関して同じであり、夫々の画素に関する駆動電圧のオーバードライブ補正レベルが、夫々の画素（１２）のデータ信号に対応する、夫々の各画素（１２）のオーバードライブ補正された電圧レベルであるところの駆動方法とを提供する。バックライト（２８）は、画素（１２）又はある画素が所定の駆動電圧レベルにより又は駆動電圧のオーバードライブ補正レベルにより駆動されているかどうかに関してオン又はオフに切り換えられうる。
2008533519.tif 000002
【特許請求の範囲】
【請求項１】
複数の画素と、
駆動電圧のオーバードライブ補正レベルが後に続く所定の駆動電圧レベルにより夫々の画素を駆動するよう配置される駆動回路とを有し、
前記所定の駆動電圧レベルは、夫々の画素に関して同じであり、
夫々の画素に関する前記駆動電圧のオーバードライブ補正レベルは、夫々の画素のデータ信号に対応する、夫々の各画素のオーバードライブ補正された電圧レベルである、アクティブマトリクス液晶ディスプレイ装置。
【請求項２】
バックライトと、バックライト制御回路とを有し、
前記バックライト制御回路は、前記駆動回路が前記所定の駆動電圧レベルにより又は前記駆動電圧のオーバードライブ補正レベルにより前記画素又はある画素を駆動しているかどうかに関して前記バックライトをオン又はオフに切り換えるよう配置される、請求項１記載のアクティブマトリクス液晶ディスプレイ装置。
【請求項３】
前記駆動回路及び前記バックライト制御回路は、
前記画素又はある画素が第１の時間期間の間は前記所定の電圧レベルで駆動され、前記第１の時間時間の間に前記バックライトがスイッチオフ状態にあり、且つ、
前記画素又はある画素が第２の時間期間の間はそれらの各自のオーバードライブ補正駆動電圧レベルによりアドレス指定され、前記第２の時間期間の間に前記バックライトがオフであるように配置される、請求項２記載のアクティブマトリクス液晶ディスプレイ装置。
【請求項４】
前記駆動回路及び前記バックライト制御回路は、
前記画素及びある画素が第３の時間期間の間はそれらの各自のオーバードライブ補正駆動電圧レベルによりアドレス指定され続け、前記第３の時間期間の間に前記バックライトがオンに切り換えられるように配置される、請求項３記載のアクティブマトリクス液晶ディスプレイ装置。
【請求項５】
前記駆動回路及び前記バックライト制御回路は、
フレームの第１の時間期間の間、当該アクティブマトリクス液晶ディスプレイ装置の行が順次に駆動され、１つの行にある夫々の画素がその各自のオーバードライブ補正駆動電圧レベルにより駆動され、前記フレームの前記第１の時間期間の間、前記バックライトがスイッチオフ状態にあり、
前記フレームの第２の時間期間の間、前記行が順次に駆動され、１つの行にある夫々の画素が、オーバードライブ補正を伴わずにその各自のビデオ信号データ電圧レベルにより駆動され、前記バックライトが前記第２の時間期間の開始時にオンに切り換えられて、前記第２の時間期間の持続期間の間はオンに切り換えられたままであり、且つ、
前記フレームの第３の時間期間の間、前記行が共通の所定電圧レベルで順次に駆動され、前記バックライトが前記第３の時間期間の存続期間の間はオンに切り換えられたままであるように配置される、請求項２記載のアクティブマトリクス液晶ディスプレイ装置。
【請求項６】
前記駆動回路は、
当該アクティブマトリクス液晶ディスプレイ装置の行へ印加される所定電圧レベルにある駆動パルスが、当該アクティブマトリクス液晶ディスプレイ装置の行へ印加される各自のＯＤＣ駆動電圧にある駆動パルスよりも短い存続期間を有するように配置される、請求項１乃至５のうちいずれか一項記載のアクティブマトリクス液晶ディスプレイ装置。
【請求項７】
前記駆動回路は、
各自のＯＤＣ駆動電圧にある駆動パルスが時間の関数として行毎に順次に行へ印加され、且つ、
所定電圧レベルにある駆動パルスが当該アクティブマトリクス液晶ディスプレイ装置の複数の行へ同時に印加されるように配置される、請求項１乃至５のうちいずれか一項記載のアクティブマトリクス液晶ディスプレイ装置。
【請求項８】
複数の画素を有するアクティブマトリクス液晶ディスプレイ装置の駆動方法であって、
所定の駆動電圧レベルにより前記画素を駆動するステップと、
駆動電圧のオーバードライブ補正レベルにより前記画素を駆動するステップとを有し、
前記所定の駆動電圧レベルは、夫々の画素に関して同じであり、
夫々の画素に関する前記駆動電圧のオーバードライブ補正レベルは、夫々の画素のデータ信号に対応する、夫々の各画素のオーバードライブ補正された電圧レベルである、アクティブマトリクス液晶ディスプレイ装置の駆動方法。
【請求項９】
前記画素又はある画素が前記所定の駆動電圧レベルにより又は前記駆動電圧のオーバードライブ補正レベルにより駆動されるかどうかに関してバックライトをオン又はオフに切り換えるステップを更に有する、請求項８記載のアクティブマトリクス液晶ディスプレイ装置の駆動方法。
【請求項１０】
前記画素又はある画素は、第１の時間期間の間、前記所定の電圧レベルで駆動され、前記第１の時間時間の間に、前記バックライトはスイッチオフ状態にあり、且つ、
前記画素又はある画素は、第２の時間期間の間、それらの各自のオーバードライブ補正駆動電圧レベルによりアドレス指定され、前記第２の時間期間の間、前記バックライトはオフである、請求項９記載のアクティブマトリクス液晶ディスプレイ装置の駆動方法。
【請求項１１】
それらの各自のオーバードライブ補正駆動電圧レベルにより前記画素又はある画素をアドレス指定することが、第３の時間期間の間続けられ、前記第３の時間期間の間に、前記バックライトはオンに切り換えられる、請求項１０記載のアクティブマトリクス液晶ディスプレイ装置の駆動方法。
【請求項１２】
フレームの第１の時間期間の間、前記アクティブマトリクス液晶ディスプレイ装置の行は順次に駆動され、１つの行にある夫々の画素はその各自のオーバードライブ補正駆動電圧レベルにより駆動され、前記フレームの前記第１の時間期間の間、前記バックライトはスイッチオフ状態にあり、
前記フレームの第２の時間期間の間、前記行は順次に駆動され、１つの行にある夫々の画素は、オーバードライブ補正を伴わずにその各自のビデオ信号データ電圧レベルにより駆動され、前記バックライトは、前記第２の時間期間の開始時にオンに切り換えられて、前記第２の時間期間の持続期間の間オンに切り換えられたままであり、且つ、
前記フレームの第３の時間期間の間、前記行は共通の所定電圧レベルで順次に駆動され、前記バックライトは前記第３の時間期間の存続期間の間オンに切り換えられたままである、請求項９記載のアクティブマトリクス液晶ディスプレイ装置の駆動方法。
【請求項１３】
前記所定電圧レベルにある駆動パルスは、前記各自のＯＣＤ駆動電圧にある駆動パルスが前記アクティブマトリクス液晶ディスプレイ装置の行へ印加されるよりも短い存続期間を有して前記アクティブマトリクス液晶ディスプレイ装置の行へ印加される、請求項８乃至１２のうちいずれか一項記載のアクティブマトリクス液晶ディスプレイ装置の駆動方法。
【請求項１４】
前記各自のＯＤＣ駆動電圧にある駆動パルスは、時間の関数として行毎に順次に行へ印加され、且つ、
前記所定電圧レベルにある駆動パルスは、前記アクティブマトリクス液晶ディスプレイ装置の複数の行へ同時に印加される、請求項８乃至１２のうちいずれか一項記載のアクティブマトリクス液晶ディスプレイ装置の駆動方法。
【請求項１５】
前記装置の画素へブランクフィールドを適用するステップと、
前記画素へオーバードライブ補正されたビデオフィールドを適用するステップとを有する、アクティブマトリクス液晶ディスプレイ装置の駆動方法。
【請求項１６】
前記画素を照射するバックライトを光らせるステップを更に有する、請求項１５記載のアクティブマトリクス液晶ディスプレイ装置の駆動方法。
【発明の詳細な説明】
【技術分野】
【０００１】
本発明は、マトリクスディスプレイ装置及びシステムと、このようなディスプレイ装置の駆動又はアドレス指定方法とに関する。
【背景技術】
【０００２】
液晶ディスプレイ装置はよく知られており、通常、行及び列の配列で配置される複数の画素を有する。
【０００３】
一般に、画素は、以下のようにアドレス指定又は駆動をなされる。画素の行は１度に１つを選択される。現在選択されている行内の画素は、列の夫々へ印加される各データ電圧に基づいて各自の表示設定を与えられる。このようなデータ電圧は、データ信号、ビデオ信号、画像信号、駆動信号、列電圧などを含め、当該技術で多数の名称により知られる。
【０００４】
１つずつの行の夫々の選択は、夫々の行選択の間に必要とされる列の駆動とともに、表示される画像の１フレームの表示を提供する。次いで、表示は、同じように表示される更なるフレームによってリフレッシュされ、以降同様に続く。
【０００５】
画素へ印加されるデータ電圧のレベルは、画素内の液晶層の光変調効果の範囲を制御することによって、どれくらいの光がその画素によって出力されるかを決定する。液晶層のキャパシタンス効果及び時間応答により、液晶層は、駆動電圧がアドレス指定スキーマにおいて印加される時間の終了によって所与の駆動電圧に関して定常状態で達しうるところの光変調状態に達しそこなうことがあることが知られる。オーバードライブ補正（ＯＤＣ）と呼ばれる補正方法（これはまた、オーバードライブ補償とも称される。）は、この効果を和らげるために用いられてきた。
【０００６】
ＯＤＣの下で、画素は、定常状態動作に必要とされうる電圧レベルよりも高い又は低い電圧レベルで駆動される。従って、関連する電圧印加期間の終了によって、画素の両端に存在する電圧は、定常状態レベルがあるべきものに実質的に等しくなると推定されるレベルに達する。既知のＯＤＣ方法の更なる詳細は、ＵＳ５，４９５，２６５及びＷＯ２００４／０１３８３５で記載される。これらは参照することにより本願に援用される。
【０００７】
ＯＤＣの下で適用される補正（即ち、画素の液晶層の両端で所与の電圧に達するために画素へ印加される電圧のレベルが所与の電圧とどれくらい異なるか。）は、液晶パネル設計に従って変わる。更に、必要とされる補正は、画素が補正される前にフレームにおいてどの電圧レベルに画素があるのか、及び、どの電圧レベルが現在のフレームにおいて求められているのか、即ち、画素の現在の設定及びその次のデータ設定（これは、しばしば電圧対と呼ばれる。）に従って変わる。必要とされる補正は、通常、夫々のフレームの夫々の画素に関してあらためて計算される。従って、従来のＯＤＣスキーマでは、電圧対が決定されるようフレームバッファと、適切な補正が決定される電圧対に関して読み取られうるよう多数の電圧対及び多数の電圧設定（及び、場合により異なるパネル）のマトリクスを有するルックアップテーブルと、これらの項目から補正を決定する処理装置とを有することが必要とされる。
【０００８】
ＯＤＣによる他の厄介な問題は、適用されるべき補正がまた、温度によっても変化しうることである。従来のＯＤＣで既に用いられる多数の変数を考えると、これは、より複雑な計算その他を必要とする。ＷＯ２００４／０３４１３５Ａ１は、多数のマトリクス素子と共にフレームバッファ及びルックアップテーブルを用いるＯＤＣスキーマが、多数のマトリクス素子の夫々と共に複数のルックアップテーブルを使用することによって温度を補償される１つの例を記載する。
【０００９】
更に、液晶透過曲線の極値への又はその近くのグレーレベル推移のためにＯＤＣを実施するために、パネルドライバＩＣにおける増大したセレクタマトリクスの複雑性及び／又は更なるバッファが通常は必要とされ、結果として、シリコン面積及び費用の増大を生ずる。
【００１０】
液晶ディスプレイは、しばしば、例えば蛍光灯のようなバックライトを有し、バックライトは、バックライトからの光が画素を通過するように配置され、画素において光は液晶層によって変調される。ＵＳ２００４／００１２５５１Ａ１は、駆動スキーマで用いられる可変バックライト制御システムについて記載する。
【００１１】
ピクチャ画像フィールドの間に挿入される所謂ブラックフィールドにより他の液晶パネルを駆動することが独立して知られる。即ち、参照することにより本願で援用されるＵＳ５，９１２，６５１で記載されるように、各フレームで、画素が、データ電圧レベルでいくらかの時間駆動され、フレームの残りの時間にブラックモードで駆動されるところの駆動方式が用いられる。見る者によって認められる視覚的効果は、このアプローチが動画像のブラー効果を低減することができる程度である。
【特許文献１】ＵＳ５，４９５，２６５
【特許文献２】ＷＯ２００４／０１３８３５
【特許文献３】ＷＯ２００４／０３４１３５Ａ１
【特許文献４】ＵＳ２００４／００１２５５１Ａ１
【特許文献５】ＵＳ５，９１２，６５１
【発明の開示】
【発明が解決しようとする課題】
【００１２】
本願発明者は、従来のＯＤＣスキーマと共に必要とされる多数の処理を軽減又は低減するマトリクス表示装置のためのＯＤＣ駆動を提供することが望ましいと気付いた。本願発明者は、また、従来のＯＤＣスキーマで使用されるフレームバッファ及び／又はルックアップテーブルの必要性の削除又はそれらのサイズの低減を可能にするマトリクス表示装置のためのＯＤＣ駆動を提供することが望ましいと気付いた。
【課題を解決するための手段】
【００１３】
第１の態様で、本発明は、複数の画素と、駆動電圧のオーバードライブ補正レベルが後に続く所定の駆動電圧レベルにより夫々の画素を駆動するよう配置される駆動回路とを有し、前記所定の駆動電圧レベルは、夫々の画素に関して同じであり、夫々の画素に関する前記駆動電圧のオーバードライブ補正レベルは、夫々の画素へ印加可能なビデオデータ信号に対応する、夫々の各画素のオーバードライブ補正された電圧レベルである、アクティブマトリクス液晶ディスプレイ装置を提供する。
【００１４】
当該アクティブマトリクス液晶ディスプレイ装置は、バックライトと、バックライト制御回路とを有しても良く、該バックライト制御回路は、前記駆動回路が前記所定の駆動電圧レベルにより又は前記駆動電圧のオーバードライブ補正レベルにより前記画素又はある画素を駆動しているかどうかに関して、前記バックライトをオン又はオフに切り換えるよう配置される。
【００１５】
前記駆動回路及び前記バックライト制御回路は、前記画素又はある画素が第１の時間期間の間は前記所定の電圧レベルで駆動され、前記第１の時間時間の間に前記バックライトがスイッチオフ状態にあり、且つ、前記画素又はある画素が第２の時間期間の間はそれらの各自のオーバードライブ補正駆動電圧レベルによりアドレス指定され、前記第２の時間期間の間に前記バックライトがオフであるように配置され得る。
【００１６】
前記駆動回路及び前記バックライト制御回路は、前記画素及びある画素が第３の時間期間の間はそれらの各自のオーバードライブ補正駆動電圧レベルによりアドレス指定され続け、前記第３の時間期間の間に前記バックライトがオンに切り換えられるように配置され得る。
【００１７】
前記駆動回路及び前記バックライト制御回路は、フレームの第１の時間期間の間、当該アクティブマトリクス液晶ディスプレイ装置の行が順次に駆動され、１つの行にある夫々の画素がその各自のオーバードライブ補正駆動電圧レベルにより駆動され、前記フレームの前記第１の時間期間の間、前記バックライトがスイッチオフ状態にあり、前記フレームの第２の時間期間の間、前記行が順次に駆動され、１つの行にある夫々の画素が、オーバードライブ補正を伴わずにその各自のビデオ信号データ電圧レベルにより駆動され、前記バックライトが前記第２の時間期間の開始時にオンに切り換えられて、前記第２の時間期間の持続期間の間はオンに切り換えられたままであり、且つ、前記フレームの第３の時間期間の間、前記行が共通の所定電圧レベルで順次に駆動され、前記バックライトが前記第３の時間期間の存続期間の間はオンに切り換えられたままであるように配置され得る。
【００１８】
前記駆動回路は、当該アクティブマトリクス液晶ディスプレイ装置の行へ印加される所定電圧レベルにある駆動パルスが、当該アクティブマトリクス液晶ディスプレイ装置の行へ印加される各自のＯＤＣ駆動電圧にある駆動パルスよりも短い存続期間を有するように配置され得る。
【００１９】
前記駆動回路は、各自のＯＤＣ駆動電圧にある駆動パルスが時間の関数として行毎に順次に行へ印加され、且つ、所定電圧レベルにある駆動パルスが当該アクティブマトリクス液晶ディスプレイ装置の複数の行へ同時に印加されるように配置され得る。
【００２０】
更なる態様で、本発明は、複数の画素を有するアクティブマトリクス液晶ディスプレイ装置の駆動方法であって、
所定の駆動電圧レベルにより前記画素を駆動するステップと、
駆動電圧のオーバードライブ補正レベルにより前記画素を駆動するステップとを有し、
前記所定の駆動電圧レベルは、夫々の画素に関して同じであり、夫々の画素に関する前記駆動電圧のオーバードライブ補正レベルは、夫々の画素のデータ信号に対応する、夫々の各画素のオーバードライブ補正された電圧レベルである、アクティブマトリクス液晶ディスプレイ装置の駆動方法を提供する。
【００２１】
当該方法は、前記画素又はある画素が前記所定の駆動電圧レベルにより又は前記駆動電圧のオーバードライブ補正レベルにより駆動されるかどうかに関してバックライトをオン又はオフに切り換えるステップを更に有しても良い。
【００２２】
当該方法は、前記画素又はある画素が、第１の時間期間の間、前記所定の電圧レベルで駆動され、前記第１の時間時間の間に、前記バックライトがスイッチオフ状態にあり、且つ、前記画素又はある画素が、第２の時間期間の間、それらの各自のオーバードライブ補正駆動電圧レベルによりアドレス指定され、前記第２の時間期間の間、前記バックライトはオフであるとうに実行され得る。
【００２３】
当該方法は、それらの各自のオーバードライブ補正駆動電圧レベルにより前記画素又はある画素をアドレス指定することが、第３の時間期間の間続けられ、前記第３の時間期間の間に、前記バックライトがオンに切り換えられるように実行され得る。
【００２４】
当該方法は、フレームの第１の時間期間の間、当該アクティブマトリクス液晶ディスプレイ装置の行が順次に駆動され、１つの行にある夫々の画素がその各自のオーバードライブ補正駆動電圧レベルにより駆動され、前記フレームの前記第１の時間期間の間、前記バックライトがスイッチオフ状態にあり、前記フレームの第２の時間期間の間、前記行が順次に駆動され、１つの行にある夫々の画素が、オーバードライブ補正を伴わずにその各自のビデオ信号データ電圧レベルにより駆動され、前記バックライトが、前記第２の時間期間の開始時にオンに切り換えられて、前記第２の時間期間の持続期間の間オンに切り換えられたままであり、且つ、前記フレームの第３の時間期間の間、前記行が共通の所定電圧レベルで順次に駆動され、前記バックライトが前記第３の時間期間の存続期間の間オンに切り換えられたままであるように実行され得る。
【００２５】
当該方法は、前記所定電圧レベルにある駆動パルスが、前記各自のＯＣＤ駆動電圧にある駆動パルスが前記アクティブマトリクス液晶ディスプレイ装置の行へ印加されるよりも短い存続期間を有して前記アクティブマトリクス液晶ディスプレイ装置の行へ印加されるように実行され得る。
【００２６】
当該方法は、前記各自のＯＤＣ駆動電圧にある駆動パルスが、時間の関数として行毎に順次に行へ印加され、且つ、前記所定電圧レベルにある駆動パルスが、前記アクティブマトリクス液晶ディスプレイ装置の複数の行へ同時に印加されるように実行され得る。
【００２７】
更なる態様で、本発明は、アクティブマトリクス液晶ディスプレイ装置の画素へブランクフィールドを適用するステップと、前記画素へオーバードライブ補正されたビデオフィールドを適用するステップとを有する、前記アクティブマトリクス液晶ディスプレイ装置の駆動方法を提供する。
【００２８】
当該方法は、前記画素を照射するバックライトを光らせるステップを更に有しても良い。
【００２９】
画素へ印加される前記オーバードライブ補正駆動電圧は、装置特性に従って計算又は特定される補正電圧であっても良い。前記オーバードライブ補正駆動電圧は、オーバードライブ補正駆動スキーマの下で画素へ印加される電圧レベルであっても良い。従って、オーバードライブ補正された電圧の印加の間中、又は、オーバードライブ補正された電圧の印加の終わりまでに、画素の液晶層の光変調レベルは達成されており、あるいは、特定の又は受信される補正されないデータ電圧レベル（例えば、データ信号、ビデオ信号。）が、液晶層のキャパシタンス効果及び時間応答によって引き起こされる画素の電圧応答における遅延よりも長い間画素へ印加される場合に画素の液晶層が達しうる光変調レベルのより近くに、そうでない場合に比べて達する。
【００３０】
更なる態様で、本発明は、アクティブマトリクス液晶ディスプレイ装置と、その駆動方法であって、所定の駆動電圧レベルにより画素を駆動するステップと、駆動電圧のオーバードライブ補正レベルにより前記画素を駆動するステップとを有し、前記所定の駆動電圧レベルが夫々の画素に関して同じであり、夫々の画素に関する前記駆動電圧のオーバードライブ補正レベルが、夫々の画素のデータ信号に対応する、夫々の各画素のオーバードライブ補正された電圧レベルであるところの駆動方法とを提供する。バックライトは、前記画素又はある画素が前記所定の駆動電圧レベルにより又は駆動電圧のオーバードライブ補正レベルにより駆動されているかどうかに関してオン又はオフに切り換えられうる。
【００３１】
更なる態様で、夫々のフレームで、画素は、駆動電圧のＯＤＣレベルにより駆動される前に所定レベルへと駆動される。前記所定レベルは、暗状態、即ち“ブラック”に対応するレベルであっても良い。所与のフレームで、全ての画素は、全ての画素がそれら各自の駆動電圧のＯＤＣレベルにより駆動される前に、所定レベルへと駆動されうる。このため、各画素に関して、及び各フレームに関して、必要とされる電圧のＯＤＣレベルは常に、同じ開始点に基づく。即ち、現在のフレームにおいて画素両端で達成されるべきデータ電圧が以前のフレームにおける画素の電圧レベルと比べられるマトリクスで配置される（上述された電圧対。）ところの従来技術のＯＤＣシステムの２次元マトリクスは、もはや発生しない。これは、フレームバッファ及び、以前のフレームからのバッファリングされた電圧レベルと比較される達成されるべき所与のデータ電圧の２次元マトリクスを有する従来のＯＤＣルックアップテーブルの必要性を除く。
【発明を実施するための最良の形態】
【００３２】
以下、本発明の実施形態について、一例として添付の図面を参照して記載する。
【００３３】
図１は、本発明の第１の実施例が実施されるところのアクティブマトリクス液晶ディスプレイ装置の略図である。このディスプレイ装置は、ビデオ画像を表示するのに適したディスプレイ装置であって、画素の行列配列を備えたアクティブマトリクス液晶ディスプレイ装置１０を有する。画素の行列配列は、各行においてｎ個の横方向に配置された画素１２（１〜ｎ）を含むｍ本の行（１〜ｍ）を有する。
【００３４】
各行１２は、薄膜トランジスタ（ＴＦＴ）１１の形をした夫々のスイッチングデバイスに結合される。同じ行にある画素に結合される全てのＴＦＴ１１のゲート端子は、共通の行導体１４へ接続される。この行導体１４へは、動作において、選択（ゲート）信号が供給される。同様に、同じ列にある全ての画素に結合されるソース端子は、共通の列導体１６へ接続される。この列導体１６へは、データ（ビデオ）信号が印加される。ＴＦＴのドレイン端子は、夫々、画素の一部を形成し且つ定義する夫々の透明な画素電極１７へ接続される。導体１４及び１６、ＴＦＴ１１並びに画素電極１７は１つの透明なプレートに載せられ、一方、第２の、間隔を空けられた透明なプレートは、全ての画素に共通な電極（以降、共通電極と呼ばれる。）を載せる。液晶はそれらのプレートの間に配置される。
【００３５】
バックライト２８は、そのバックライト２８からの光がパネルを通過して、画素１２の透過特性に従って変調されるように配置される。バックライト２８はバックライト制御モジュール３０によって制御される。
【００３６】
表示パネルは以下のように動作する。装置は、順にＴＦＴの行をオンするように選択（ゲート）信号により行導体１４を走査し、且つ、完全な表示フレーム（ピクチャ）を構成するようにピクチャ表示素子の各行の列導体へデータ（ビデオ）信号を印加することによって、一度に１つの行を駆動される。アドレス指定に際して１つの行を用いると、選択された行の全てのＴＦＴ１１は、選択信号の存続期間によって決定される期間の間、オンに切り換えられる。この期間の間、データ信号は、列導体１６から画素１２へ伝送される。
【００３７】
行導体１４は、タイミング及び制御回路２１からの一定間隔毎のタイミングパルスによって制御されるデジタルシフトレジスタを有する行ドライバ回路２０によって、選択信号を、その選択順において供給される。選択信号の間の間隔で、行導体１４は、行ドライバ回路２０によって実質的に一定な基準電位を供給される。
【００３８】
ＯＤＣ駆動電圧（データ電圧）２３は、列ドライバ回路２２から列導体１６を介して供給される。列ドライバ回路２２は、パネル１０のアドレス指定に際して行に適したシリアル−パラレル変換を提供するよう行走査と同時にタイミング及び制御回路２１からのタイミングパルス２７及び映像処理回路２４からのビデオ信号２５を供給される。列ドライバ回路２２は、更に、電圧源２６から直流電圧２９を供給される。本実施例で、電圧源２６によって供給される直流電圧２９は、１又は幾つかの不連続な直流電圧レベルの形をとる。
【００３９】
図２は、更に詳細に列ドライバ回路２２を示すブロック図である。列ドライバ回路２２は、セレクタ制御モジュール９０を有する。セレクタ制御モジュール９０は、タイミング及び制御回路２１へ結合されており、タイミング及び制御回路２１からタイミングパルス２７を受け取る。
【００４０】
列ドライバ回路２２は、ｎ個のセレクタ９２を更に有する。セレクタ９２は、ｎ個の列導体１６の夫々につき１つが設けられる。夫々のセレクタ９２は、セレクタ制御モジュール９０へ結合される。
【００４１】
列ドライバ回路２２は、ｎ個の出力バッファ８２を更に有する。夫々の各バッファ８２は、夫々のセレクタ９２及び対応する夫々の共通する列導体１６へ結合される。
【００４２】
列ドライバ回路２２は、抵抗性デジタル−アナログ変換器（Ｒ−ＤＡＣ）９１を更に有する。Ｒ−ＤＡＣ９１は、電圧源２６へ結合されており、電圧源２６から直流電圧２９を受け取る。Ｒ−ＤＡＣ９１は、Ｎ本のラインを有する共通バス９３によってセレクタ９２の夫々へ結合される。共通バス９３のラインは、Ｎ個のグレーレベルの夫々１つを供給するＮ個の電圧レベルの夫々につき１つが設けられる。
【００４３】
動作において、Ｒ−ＤＡＣ９１は直流電圧２９を変換して、バス９３の夫々の各ラインにつき１つが定まるＮ個の電圧レベルをセレクタ９２の全てへ供給する。夫々のセレクタ９２に関して、タイミングパルス２７のタイミング制御下にあるセレクタ制御モジュール９０は、夫々の列導体１６に関して受信されるビデオ信号２５に従ってＮ個の電圧レベルのうちのどれが選択されるべきかを夫々のセレクタ９２に指示する。選択される電圧レベルは、セレクタ９２によって選択されて、夫々のバッファ８２に入力される。夫々のバッファ８２からそれは出力され、夫々のＯＤＣ駆動電圧レベル２３として列導体１６へ印加される。
【００４４】
以下で述べられない限り、液晶ディスプレイ装置の他の詳細は、ＯＤＣスキーマにより駆動される如何なる従来のアクティブマトリクス液晶ディスプレイ装置のとおりであって良く、この特定の実施例においてＵＳ５，４９５，２６５で開示される液晶ディスプレイ装置と同じであって、同じく動作する。ＵＳ５，４９５，２６５の内容は、本願に参照することによって援用される。代替的に、その詳細の幾つか又は全ては、同様に及び／又は代わりに、ＵＳ５，１３０，８２９で開示される液晶ディスプレイ装置と同じであっても良い。ＵＳ５，１３０，８２９の内容は、本願に参照することによって援用される。
【００４５】
しかし、本実施例で、映像処理回路２４、電圧源２６及び列ドライバ回路２２は、図２乃至４を参照して更に詳細に記載されるように、ブランクフィールド挿入を含むＯＤＣ駆動スキーマを実行するよう構成されている。
【００４６】
概して、夫々のフレームで、画素は、駆動電圧のＯＤＣレベルにより駆動される前に所定レベルへと駆動される。本実施例で、所定レベルは、暗状態、即ち“ブラック”に対応するレベルである。更に、本実施例で、所与のフレームで、全ての画素は、全ての画素がそれら各自の駆動電圧のＯＤＣレベルにより駆動される前に、所定レベルへと駆動される。このため、各画素に関して、及び各フレームに関して、必要とされる電圧のＯＤＣレベルは常に、同じ開始点に基づく。即ち、現在のフレームにおいて画素両端で達成されるべきデータ電圧が以前のフレームにおける画素の電圧レベルと比べられるマトリクスで配置される（上述された電圧対。）ところの従来技術のＯＤＣシステムの２次元マトリクスは、もはや発生しない。これは、フレームバッファ及び、以前のフレームからのバッファリングされた電圧レベルと比較される達成されるべき所与のデータ電圧の２次元マトリクスを有する従来のＯＤＣルックアップテーブルの必要性を除く。
【００４７】
従って、この処理は、装置の従来のＯＤＣ形式と比べて、異なる電圧レベルが印加されることを要する。それ故、本実施例における電圧源２６は、必要とされる電圧を供給するよう然るべく構成される。具体的に、例えば、Ｎ個の画素輝度設定に関して、Ｎ個よりも多い直流電圧レベルを必要としうる従来のＯＤＣ駆動と比べて、Ｎ個の直流電圧レベルしか本実施例におけるＯＤＣ駆動には必要とされない。これは、従来のＯＤＣ駆動が通常、従来のＯＤＣ配置で必然的に必要とされる閾値Ｖｔｈ及び飽和電圧Ｖｓａｔの外側にある閾値電圧Ｖｔｈ及び／又はＶｓａｔへの、あるいは、それらの近くのオーバードライブ推移に対処するように、更なる電圧レベルが供給されることを必要とするためである。更に、従来のＯＤＣ配置で、ある電圧レベルは、ＯＤＣが発生しないよう必要とされる。更なる電圧レベルに関するこのような様々な理由は、電圧の必要とされるＯＤＣレベルが常に同じ開始点に基づくことで、このような変動は含まれないために、本実施例によって回避される傾向を有する。
【００４８】
更に、本実施例で、前出の駆動処理によって生成される視覚的外観は、図２及び３を参照して以下で更に詳細に説明されるように、ＯＤＣ電圧レベル駆動段階及びブランクフィールド駆動段階に関してバックライトをオン及びオフにすることによって更に改善される。
【００４９】
図３は、本実施例に従う適応ＯＤＣ駆動処理において画素の所与の行に用いられる処理ステップを示すフローチャートである。図４は、図３を参照して以下で記載される処理ステップｓ２、ｓ４及びｓ６の進行中の時間３８に対する画素からの光伝達３６のプロット３４を示す略図（実寸ではない。）である。光伝達３６は、画素に入る所与の光に関する画素からの相対伝達である。即ち、プロット３４は、バックライトがオン又はオフに切り換えられるかどうかを考慮しない状況である。
【００５０】
ステップｓ２で、画素は、図４で参照番号４０によって示される第１の時間期間の間、ブランクフィールドにより駆動される。即ち、本実施例で、全ての画素は、共通の所定電圧レベルで駆動される。所定電圧レベルは、“ブラック”表示出力と考えることができる低い光伝達レベルを提供するレベルである。第１の時間期間４０の間、バックライト２８は、図４で語「バックライトオフ」によって示されるように、スイッチオフ状態にある。
【００５１】
ステップｓ４で、画素は、図４で参照番号４２によって示される第２の時間期間の間、それら各自のＯＤＣ駆動電圧レベルによりアドレス指定される。即ち、ＯＤＣビデオフィールドが適用される。列ドライバ回路２２は、図２を参照して上述されたように、受け取ったビデオ信号２５に従って、所与の画素に適切なＯＤＣ駆動電圧レベル２３を選択する。第２の時間期間４２の間、バックライト２８は、図４で語「バックライトオフ」によって示されるように、オフである。
【００５２】
明らかに、ステップｓ２及びｓ４によるフレーム駆動の実行は、それだけで改善されたＯＤＣ駆動形態を提供し、他の実施例で、かかる処理はこのような簡単な方法で利用される。その場合、バックライトは、連続してオンであるように切り換えられても良い。他の可能性として、バックライトは、例えば、実質的にビデオフィールドを適用するステップｓ４の間だけオンに切り換えられるよう、フレーム周期の一部の間のみオンであるよう切り換えられても良い場合がある。
【００５３】
しかし、本実施例で、ステップｓ６で、バックライト２８は光る。即ち、図４で語「バックライトオン」によって示されるように、バックライト２８はオンに切り換えられ、図４で参照番号４４によって示される第３の時間期間の間中オンのままとされる。ステップｓ６の間、即ち、第３の期間４４の間、画素は、ステップｓ４と同様に、それら各自のＯＤＣ駆動電圧レベルによりアドレス指定され続ける。即ち、ＯＤＣビデオフィールドは、第３の時間期間４４の間、適用され続ける。
【００５４】
前出の処理で、バックライトは、走査モードにおいてオン及びオフに切り換えられる。即ち、走査バックライトモードで動作する。即ち、バックライトは、夫々が画素の多数の連続する行に対応する多数の部分で配置され、所与の時点で駆動されるバックライトの部分のみが、選択される行が位置する画素の連続する行の組に対応するバックライトの部分である。
【００５５】
本実施例で、第１の期間４０は、第２の期間４２にほぼ等しい存続期間を有し、一方、第３の期間４４は、第１の期間４０及び第２の期間４２の夫々の存続期間の半分である。従って、バックライトオンに対するバックライトオフの比は４：１である。概して、例えば他の実施例で、この比は、望ましくは４：１から１：１の間にあるべきであるが、他の比率が用いられても良い。
【００５６】
更に、本実施例で、電圧駆動段はバックライトのスイッチングオン及びオフに完全に同期するが、これは他の実施例でそうである必要はない。例えば、バックライトは、ブランクフィールドの駆動電圧が印加され始めて少し経ってからオフに切り換えられても良い。
【００５７】
第１、第２及び第３の期間４０、４２、４４は、共にアドレスフレーム４９を提供する。次いで、処理、即ち、ステップｓ２、ｓ４及びｓ６は、例えば、更なるフレーム５９の第１の期間５０、第２の期間５２及び第３の期間５４を提供し、その後も同様に続くよう、夫々の更なるフレームに関して繰り返される。本実施例で、アドレス周波数は、毎秒７０のフレーム４９、５９が存在するように７０Ｈｚであるが、この周波数は、他の実施例では異なる値であっても良い。
【００５８】
ステップｓ２で共通の所定電圧レベルへ全ての画素を駆動することによって、続くＯＤＣ駆動は常に、所与の開始電圧から行われる。従って、ＯＤＣ電圧の計算のための電圧対の２次元配列は、もはや必要とされない（それ故、フレームバッファ及び２次元ルックアップテーブルの使用は、もはや必要とされない。）。従って、ｓ４及びｓ６で実行されるＯＤＣ駆動処理は、例えば、もはやルックアップテーブルもフレームバッファＲＡＭも必要としないよう、劇的に簡単化される。ＯＤＣ駆動を、バックライト２８がオフである場合（即ち、第２の期間４２。）には第１の段階に、及び、バックライト２８がオンである場合（即ち、第３の期間４４。）には第２の段階に効果的に分けることによって、ディスプレイのコントラスト比は改善される。これは、表示される画像光レベルが、第２の期間４２のより変動的な段階よりもむしろ第３の期間４４のより安定した又は適正な段階の間にのみ表示されるためである。更に、コントラスト比は、また、ブランクフィールドが挿入されている第１の期間４０の間はバックライト２８がオフであることによっても改善される。
【００５９】
上述される実施例で、バックライトは走査モードにおいて使用される。第２の主な実施例で、バックライトは、以下のように、走査モードよりもむしろストローブモードで使用される。
【００６０】
この第２の主な実施例で、アクティブマトリクス液晶ディスプレイ装置は図１に示されるが、ここで図５及び６を参照して記載されるように動作する。
【００６１】
図５は、行１〜ｍがこの第２の主要な実施例の駆動スキーマで、フレーム６９の間中、時間７０の関数としてアドレス指定される順序を示す略図である。図６は、図５に示される電圧印加の結果としての、フレーム６９の間の、画素の時間７０に対する画素からの光伝達７６のプロット７４を示す略図（実寸ではない。）である。先と同じく、光伝達７６は、画素に入る所与の光に関する画素からの相対伝達である。即ち、プロット７４は、バックライト２８がオン又はオフに切り換えられるかどうかを考慮しない状況である。
【００６２】
図５を参照して、フレーム６９の第１の時間期間６０の間中、行は、行１から行ｍへと順次に駆動され、行に含まれる夫々の画素は、その各自の適切なＯＤＣ駆動電圧レベルにより駆動される。第１の時間期間６０の間、バックライト２８はスイッチオフ状態にある。ここで図６を参照して、ＯＤＣが適用されているので、画素の伝達レベルは、間近の第２の時間期間６２の間表示されるために必要とされるレベルまで高まる。
【００６３】
再び図５を参照して、第２の時間期間６２の間中、行は、行１から行ｍへと順次に駆動され、行に含まれる夫々の画素は、その各自のビデオ信号データ電圧レベルにより駆動される。即ち、画素は、この第２の時間期間の間、ＯＤＣを用いずに駆動される。バックライト２８は、第２の時間期間６２の開始時にオンに切り換えられ、第２の時間期間６２の存続期間の間はオンに切り換えられたままである。再び図６を参照して、画素の伝達７６は、目下オンに切り換えられるバックライト２８による照明ために表示されるべく必要とされるビデオ信号データ電圧レベルにある。
【００６４】
再び図５を参照して、第３の時間期間６４の間中、行は、ブランクフィールドにより行１から行ｍへと順次に駆動される。即ち、本実施例で、全ての画素は、共通の所定電圧レベルで駆動される。バックライト２８は、第３の時間期間６４の存続期間の間、オンに切り換えられたままである。再び図６を参照して、画素の伝達７６は、所定電圧レベルの印加により生ずる、“ブラック”表示出力と考えることができる低い光伝達レベル６８である。
【００６５】
従って、言い換えると、第２の実施例で、パネルは、全てのビデオ（スーパー）フレームに関して‘ブランク’フレームが２回後に続くビデオフレームによりアドレス指定される。第１のビデオサブフレームで、オーバードライブ電圧は、第２のビデオサブフレームによって適切な伝達レベルを得るために印加される。第２のビデオサブフレームで、標準電圧は、適切な伝達レベルを保持するために印加される。バックライトは、第２のビデオサブフレーム及び‘ブランク’フレームの間、オンに切り換えられる。バックライトはこの場合に‘ブラック’である。留意すべきは、グレーレベル電圧の２つの区別可能な組が本実施例で使用される点であり、第１は第１のサブフレームの間のオーバードライブ電圧（即ち、ＯＤＣ駆動電圧レベル。）であり、第２は第２のサブフレームの間の標準的な電圧（即ち、ビデオ信号データ電圧レベル。）である。しかし、これは必ずしも著しく欠点であるわけではない。これは、多数の用途で、とにかく利用可能なこのような駆動電圧の組を有することが望ましい場合があるためである。従って、例えば、標準電圧レベルは、電力消費低減がユーザ選択可能な又は自動的にトリガされるオプションとして利用可能であるよう望まれる場合に、（ＯＤＣよりむしろ）使用され得る。更なる利点は、たとえ１よりも多い組のグレーレベルが存在するとしても、１つの組しかいつでも必要とされず、従って、選択マトリクスは比較的簡単である点である。更に、概してバッファについては、異なるバッファが同時に動作することを必要とされないならば、異なるバッファよりもむしろ、シリコンの増大を必要とする傾向を有するのは、同時に使用されるバッファの数である。
【００６６】
上述された方法で電圧を印加することによって、異なる行の異なる輝度は回避又は低減される。バックライトをストローブすることによって、即ち、毎回全ての行のバックライトを光らせることによって、フレームの始めにアドレス指定される行は、それらが、液晶が応答するための、更にＯＤＣの利益が確立されるための更なる時間を有しうるので、別な方法でフレームの後ろでアドレス指定される行よりも明るくなりうる。従って、本実施例で、第３の時間期間の使用、即ち、ブランクフィールド（共通の所定電圧レベル）を適用する間はオンに切り換えられるバックライト２８を有することによって、このような効果は、フレーム全体に亘って、即ち、全ての行１からｍに亘って達成される。他の可能性として、このアプローチがそれでもやはり走査バックライトとともに用いられうる場合がある。
【００６７】
上述されるように、所与のパネルでＯＤＣモードと非ＯＤＣモードとの間で切り換えられることが望まれうる。図１乃至７を参照して以下で記載される以下の実施例は、特に、効率的な方法でこのような便宜を提供するのに適する。
【００６８】
本実施例のアクティブマトリクス液晶ディスプレイ装置は、本実施例では、列ドライバ回路２２のある詳細が第１の実施例の列ドライバ回路２２と比べて異なる点を除いて、やはり図１に示される装置と同じである。図７は本実施例の列ドライバ回路２２を示すブロック図である。本実施例の列ドライバ回路２２は、図２に示される第１の実施例の列ドライバ回路２２にも含まれており、同じ参照番号によって示される以下の部品、即ち、セレクタ制御モジュール９０、ｎ個のセレクタ９２、ｎ個の出力バッファ８２、及び抵抗性デジタル−アナログ変換器（Ｒ−ＤＡＣ）９１を含む。このような部品は、以下で示されない限り、図２の例と同じように、共に且つアクティブマトリクス液晶ディスプレイ装置の他の部分へ結合される。
【００６９】
本実施例の列ドライバ回路２２は、ルックアップテーブル（ＬＵＴ）１１２と、Ｎ−ｏｆ−Ｘ出力セレクタ１１０とを更に有する。これらはいずれもセレクタ制御モジュール９０へ結合される。Ｎ−ｏｆ−Ｘセレクタ１１０は、また、バス９３を介してセレクタ９２へ、及び、図７でバス９３ａとして示されるバス９３の特定の一部を介してＲ−ＤＡＣ９１へ結合される。
【００７０】
本実施例で、電圧源２６からＲ−ＤＡＣ９１によって受け取られる直流電圧２９はＸ個のレベルを有する。なお、Ｘ＞Ｎである。動作において、Ｎ−ｏｆ−Ｘセレクタ１１０は、セレクタ制御モジュール９０の制御下で、利用可能なＸ個の電圧レベルからＮ個の電圧レベルの組を選択して、セレクタ９２へ送る。従って、本実施例で、Ｎ個の電圧の複数の異なる組が利用され得る。従って、例えば、Ｎ個の電圧の異なる組は、温度補償を実行するために、及び／又は、ＯＤＣモードと非ＯＤＣモードのための１つとの間の切り換えのために利用されても良い。従って、本実施例で、設計柔軟性は、セレクタ制御モジュール９０が、ＬＵＴ１１２から必要とされる値の組を読み取ることによってＮ個の電圧の組を選択するようプログラムされるＬＵＴ１１２を含むプログラム可能な回路を有する点で提供される。これは、例えば、多種多様な液晶パネルで使用される共通設計を提供するために使用され得る柔軟な配置を提供し、所与の形式のパネルにとって適切な電圧レベルは然るべくＬＵＴから読み取られる。しかし、他の実施例で、電圧レベルの複数の組は、例えば、利用可能な所定の固定された組を有することによってＬＵＴを含まない、それほど柔軟でない方法で提供され得る。これは、例えば、所与の形式の液晶パネルのための固定設計として都合良く使用され得る。
【００７１】
それ故、要点を繰り返すと、本実施例、特に、図７に示される列ドライバ回路は、Ｎ個のグレースケールレベル電圧の少なくとも２つの動的に選択可能な組、即ち、ＯＤＣモードのための１つ及び非ＯＤＣモードのための１つを提供する。更なる選択可能な組は、例えば、ディスプレイ動作の伝達モードと比較される反射モードに関して、必要に応じて提供され得る。他の実施例で、グレースケールレベル電圧の動的に選択可能な組の中から２又はそれ以上の組を提供する他の方法が実施されても良く、例えば、電圧の選択可能な固定された組や、選択可能であって、プログラム可能な固定された組などがある。
【００７２】
グレースケールレベルのこのような動的に選択可能な組に関する利点は、列ドライバ回路２２が様々な異なったパネルで使用可能であり、グレースケール電圧が、如何なる特定の環境でも使用されるよう特定のパネルに従ってプログラム可能である点である。更に、例えば、温度補償や、異なるフレームレートの使用などのような他の変数は、１つの製品設計において適合され得る。
【００７３】
図７及び図２で示される実施例で、（列）バッファ８２は、（１−ｏｆ−Ｎ）セレクタ９２の後に接続される。これは“列毎バッファ（ｂｕｆｆｅｒ  ｐｅｒ  ｃｏｌｕｍｎ）”アーキテクチャと呼ばれ、通常は大型パネルで使用される。より小さなパネルに特定に限定されない他の実施例で、他の所謂“グレーレベル毎バッファ（ｂｕｆｆｅｒ  ｐｅｒ  ｇｒｅｙ  ｌｅｖｅｌ）”アーキテクチャが採用されても良い。このアーキテクチャで、バッファは１−ｏｆ−Ｎセレクタの前に接続される。即ち、１つのバッファ（又はひと組のバッファ）が全ての列によって共有される。
【００７４】
更なる実施例で、ＲＡＭの使用を含むより一層複雑な回路が用いられても良い。ビデオデータ及び同期は、非ＯＤＣモードのための従来の形式で配置される。しかし、より高い周波数クロックを発生させる更なるクロック発生回路ブロックは、（ブランクフィールド挿入を伴う）ＯＤＣモードのために使用される。この実施の利点は、ディスプレイ走査タイミングがインターフェースにおいてデータ及びクロックとは切り離される点である。可変なフレームレートは、現在の携帯可能なディスプレイ用途において普通であるディスプレイの内在的な走査レートへの随意的な同期により可能である。しかし、これは、フルフレームバッファＲＡＭを使用する必要性を伴う代償を犠牲にする。
【００７５】
前出の実施例の夫々で、ＯＤＣ駆動の温度補償は、従来のＯＤＣ駆動配置と同様の方法で実施されても良い。即ち、異なるＯＤＣ駆動電圧レベルは、温度に従って所与の電圧データレベルに必要とされる。このような処理は、温度補償されるべきデータが通常はほとんどないので、従来のＯＤＣ配置と比べて本発明により簡単化される。
【００７６】
前出の実施例において所与のフレームで異なる処置が行われるところの順序は、他の実施例で変更されても良い。例えば、図４を参照すると、前出の第１の実施例で、フレーム４９は第１の時間期間４０から始まり、第３の時間期間４４で終了する。しかし、他の実施例で、フレームは第３の時間期間から始まり、その後に第１の時間期間が続き、第２の時間期間で終了しても良い。言い換えると、フレームの３つの段階と比較される、フレームが開始し終了する境界設定は、他の実施例では異なっても良い。同じ考えが、例えば、図４、５、８及び９でも適用される。
【００７７】
前出の実施例で、全ての画素は、同時に又は連続して（即ち、その間に如何なる画素又は行もＯＤＣ電圧レベルへ駆動されることなく）ブラックフィールド所定電圧へ駆動される。しかし、これはそうである必要はなく、他の実施例で、全ての画素ではない幾つかの画素、例えば、全ての行ではない幾つかの行は、ブランクフィールド所定電圧へ駆動され、その後続いて、幾つかの他の画素又は画素の行がＯＤＣ電圧レベルにより駆動される。
【００７８】
前出の実施例で、所与の画素に関して、ＯＤＣ電圧レベルによる駆動は、ブランクフィールド所定電圧による駆動と交互に行われる。しかし、これはそうである必要はなく、他の実施例では以下が実施されても良い。
（ｉ）所与の画素は、複数回ＯＤＣ電圧により駆動され、次いで、１回ブランクフィールドにより駆動され、次いで、複数回ＯＤＣ電圧により駆動され、次いで、１回ブランクフィールドにより駆動され、以降同様に駆動されても良い。あるいは、
（ｉｉ）所与の画素は、複数回ＯＤＣ電圧により駆動され、次いで、複数回ブランクフィールドにより駆動され、次いで、複数回ＯＤＣ電圧により駆動され、次いで、複数回ブランクフィールドにより駆動され、以降同様に駆動されても良い。あるいは、
（ｉｉｉ）所与の画素は、１回ＯＤＣ電圧により駆動され、次いで、複数回ブランクフィールドにより駆動され、次いで、１回ＯＤＣ電圧により駆動され、次いで、複数回ブランクフィールドにより駆動され、以降同様に駆動されても良い。
【００７９】
幾つかの実施例、例えば、前段落で記載される実施例（ｉ）、（ｉｉ）及び（ｉｉｉ）で、ブランクフィールドにより（即ち、共通の所定電圧レベルにより）画素を駆動する選択パルスは、ビデオデータにより画素を駆動する選択パルスよりも短くされても良い。これは、図８で図解的に示される。図８は、ブランクフィールド駆動パルス１０６と共に、ビデオフレーム１０５に亘って時間１０２の関数として行毎に順次に行１からｍへと供給されるＯＤＣ電圧駆動パルス１０４と、ビデオ電圧駆動パルス１０４よりも短い存続期間を有し、ビデオフレーム１０５の後に続くブランクフレーム１０７に亘って時間１０２の関数として行毎に順次に行１からｍへと供給されるブランクフィールド駆動パルス１０６とを示す略図である。従って、ブランクフレーム１０７はビデオフレーム１０５よりも短い。これは、必要とされるアドレス時間を有利に短くする。しかし、これはそうである必要はなく、他の実施例で、ブランクフィールドにより（即ち、共通の所定電圧レベルにより）画素を駆動する選択パルスは、ビデオデータにより画素を駆動する選択パルスと同じ幅であっても、あるいは、より長くても良い。
【００８０】
幾つかの実施例、例えば、前々段落で記載される実施例（ｉ）、（ｉｉ）及び（ｉｉｉ）で、ブランクフィールドによる（即ち、共通の所定電圧レベルによる）画素の駆動は、１フレーム内で１度に１行を実行される。しかし、夫々の画素は同じ電圧レベルへ駆動されているので、このような行毎の選択は必須ではなく、従って、他の実施例では、行の幾つか又は全てが、同時に共通の所定電圧レベルにより駆動するために選択されても良い。これは、図９に図解的に示される。図９は、ビデオフレーム９５に亘って時間９２の関数として行毎に順次に行１からｍへと供給されるＯＤＣ電圧駆動パルス９４と、夫々の行１〜ｍごとにブランクフレーム９７の間同時に供給されるブラックフィールド駆動パルス９６とを示す略図である。従って、ブランクフレーム９７はビデオフレーム９５よりも短い。これは、必要とされるアドレス時間を有利に短くする。
【００８１】
前出の実施例で、ブランクフィールドの間に印加される所定電圧は、ブラックとみなされうる低い表示出力を供給する電圧レベルである。しかし、これはそうである必要はなく、他の実施例では、グレーレベルを形成する所定電圧レベルが使用されても良い。これは、例えば、より簡単なＯＤＣ駆動値を供給するために使用されても良い。バックライトがブランクフィールドの間オンに切り換えられないところの実施例で、このようなグレーレベルはコントラストへの悪影響を有さない。しかし、そのような場合でない実施例でさえ、例えば、コントラスト比の低下は、より簡単なＯＤＣ駆動値に対して支払われる代償となりうる。
【００８２】
更に、幾つかの実施例で、ブランクフィールドの間に印加される所定電圧は、液晶のＶＳＡＴ（飽和電圧）又はＶＴＨ（閾値電圧）に対応しても良い。このような場合に、‘ブランク’への推移は、それ自体、推移が所与の時間内に完了する限界を改善するようオーバードライブされても良い。
【００８３】
前出の実施例の夫々に関して、例えば、移動用途及び携帯用途での電力消費のために、ＯＤＣモードにおいてはもちろん、非ＯＤＣモードにおいてもパネルを運転可能であることが望ましい。その場合に、駆動電圧レベルの２つの別個の組は、各動作モードで正確なガンマ曲線を定めるために必要とされ得る。これは、
ａ）利用可能な２つの固定された駆動電圧レベルの組と、１又は他の電圧の組を選択することを可能にするメカニズムとを有すること、又は
ｂ）他の電圧レベルの組がルックアップテーブルを介してプログラム可能であるとともに、１つの固定された電圧レベルの組を有すること、又は
ｃ）ルックアップテーブルを介してプログラム可能な両方の電圧レベルの組を有すること（これは、ドライバＩＣへの変更を伴わずに多数のパネルとともに使用可能な最も柔軟性のある解決法である。）
によって達成され得る。
【００８４】
その最も一般的な形式としての本発明の考えは、ＬＣＤ内の各画素素子（Ｒ、Ｇ及びＢ）が、ビデオデータに対応するグレースケールレベルと、所定のグレースケールレベルとにより交互にアドレス指定されることである。オーバードライブ技術は、所定のグレースケールレベルからビデオデータに対応する次のグレースケールレベルへの推移に適用される。所定のグレースケールレベルは、全ての画素素子に関して同じである。
【００８５】
前出の実施例の様々な態様は、以下のように手短に述べられる。
【００８６】
従来の（コントラスト出力）バックライトの代わりに、ストローブ又は走査バックライトが画像品質を高めるために使用されても良い。オーバードライブ技術及び従来の（即ち、非ＯＤＣ）駆動技術の両技術は組み合わされても良く、例えば、所定のグレースケールレベルから次のビデオデータへの推移はオーバードライブされ、その後、所定のグレースケールレベルによる次のアドレス指定の前に１又は複数回オーバードライブされない（通常通り画素へ印加される）更なるビデオデータが続く。同様に、所定のグレースケールレベルへの推移は、オーバードライブされても、且つ／あるいは、連続して１又は複数回繰り返されても良い。
【００８７】
これらのスキーマに対する変形は、ビデオデータ及び所定のグレースケールレベルにより交互にフレーム全体をアドレス指定すること（‘ブランクフィールド挿入’）、又は、ビデオデータにより各フレームの一部をアドレス指定し、所定のグレースケールレベルによりフレームの残りの部分をアドレス指定すること（‘ブランクストライプ挿入’）を含んでも良い。留意すべきは、オーバードライブを伴うビデオデータ、次いで、場合により、オーバードライブを伴わないビデオデータ（１又はそれ以上の回数）、次いで、所定のグレーレベル（１又はそれ以上の回数）、次いで、オーバードライブを伴うビデオデータというシーケンスが、画素レベルで適用されるが、必ずしもフレームレベル全体で適用されるわけではないという点である。即ち、同じフレームに存在するビデオデータ及び‘ブランクデータ’の両方を有することが可能であり、フレームは全体として‘ブランク’又はビデオである必要はない。
【００８８】
簡単な実施で、以下が当てはまる。
−更なる回路ブロック又は既存の回路の拡張は必要とされない。
−従来の駆動と比べて列駆動のために拡大された電圧範囲が提供される（列ドライバＩＣは、より高い電圧に対応するために変更されうる。）。
−ＬＣＤモジュールインターフェースにおけるデータシーケンス及び同期は、従来の駆動とは異なる。即ち、以下が実行される。ＶＩＤＥＯ  ＤＡＴＡ１、‘ＢＬＡＮＫ’  ＤＡＴＡ、ＶＩＤＥＯ  ＤＡＴＡ２、‘ＢＬＡＮＫ’  ＤＡＴＡ、ＶＩＤＥＯ  ＤＡＴＡ３、以降続く（留意すべきは、ビデオデータ及び／又はブランクデータは１又はそれ以上の回数繰り返されうる点である。）。
−非スイッチ、ストローブ又は走査バックライトモードが使用されても良い。
【００８９】
幾つかの実施例で、以下が提供される。
−Ｎ個の列駆動電圧（Ｎ＝グレースケールの数）の１組又は数組（動的な毎行又は毎フレーム）の選択を可能にする更なる回路ブロック。列駆動電圧の組は、列ドライバＩＣで又は外部から固定されても良く、あるいは、それらは、列ドライバＩＣでプログラム可能であっても、又は、例えば、リニアプログラム可能なＤＡＣを用いて、どうにかして外部から供給されても良い。
−従来の駆動と比べて列駆動のための拡大された電圧範囲。
−ＬＣＤモジュールインターフェースにおけるデータシーケンス及び同期は、従来の駆動と異なっても良く、例えば、以下、ＶＩＤＥＯ  ＤＡＴＡ１、‘ＢＬＡＮＫ’  ＤＡＴＡ、ＶＩＤＥＯ  ＤＡＴＡ２、‘ＢＬＡＮＫ’  ＤＡＴＡ、ＶＩＤＥＯ  ＤＡＴＡ３、・・・であっても良い（留意すべきは、ビデオデータ及び／又はブランクデータは１又はそれ以上の回数繰り返されうる点である。また、留意すべきは、‘ブランク’フレーム全体が送られる場合に、データは、各画素にデータを送る代わりに、‘ブランクフレームコマンド’により置換される点である。）。
【００９０】
様々な実施例は、以下の利点のうちの１又はそれ以上を夫々提供する傾向を有する。
・モジュールレベルでのフレームバッファＲＡＭの必要性は除かれうる（Ｓｉ面積及び費用の節約の提供）。
・ルックアップテーブルの必要性は除かれうる。あるいは、ルックアップテーブルの少なくともサイズは低減されうる（Ｓｉ面積及び費用の節約の提供）。
・余分の列駆動バッファの必要性は除かれうる（Ｓｉ面積及び費用の節約の提供）。
・余分の列スイッチマトリクスの必要性は除かれうる（Ｓｉ面積及び費用の節約の提供）。
・ＡＭＬＣＤパネルの遅い応答に起因するモーションブラーが低減されうる（性能改善）。
・‘サンプル及びホールド効果’に起因するモーションブラーが低減されうる（性能改善）。
・１又は複数のルックアップテーブルは、従来のＯＤＣシステムによる場合よりも容易に生成され得る。従来のＯＤＣの場合、通常は、正確なタイミング測定が、起こり得るグレースケール推移の全て又は一部に関して行われなければならない。ここで、ルックアップテーブルは、前出の実施例においてパネルのガンマ極性を定めることができるので、通常、正確な輝度測定しか考慮されない、あるいは必要とされない。
【図面の簡単な説明】
【００９１】
【図１】アクティブマトリクス液晶ディスプレイ装置の略図である。
【図２】図１のアクティブマトリクス液晶ディスプレイ装置の列ドライバを示すブロック図である。
【図３】適応ＯＤＣ駆動処理において画素の所与の行に用いられる処理ステップを示すフローチャートである。
【図４】図３に示される処理の進行中の時間に対する画素からの光伝達のプロットを示す略図（実寸ではない。）である。
【図５】ｍの行１が駆動スキームにおけるフレームの間に時間の関数としてアドレス指定されるところの順序を示す略図である。
【図６】図５に示される電圧印加の結果としての、フレームの間の、画素の時間に対する画素からの光伝達のプロットを示す略図（実寸ではない。）である。
【図７】図１に示されるアクティブマトリクス液晶ディスプレイ装置の列ドライバ回路の他の例を示すブロック図である。
【図８】行１からｍへと順次に供給されるＯＤＣ電圧駆動パルス及びブランクフィールド駆動パルスを示す略図である。
【図９】行１からｍへと順次に供給されるＯＤＣ電圧駆動パルス及び同時に供給されるブランクフィールド駆動パルスを示す略図である。
【図１】
2008533519.tif 000003
【図２】
2008533519.tif 000004
【図３】
2008533519.tif 000005
【図４】
2008533519.tif 000006
【図５】
2008533519.tif 000007
【図６】
2008533519.tif 000008
【図７】
2008533519.tif 000009
【図８】
2008533519.tif 000010
【図９】
2008533519.tif 000011
【国際調査報告】
2008533519.tif 000012
2008533519.tif 000013